【事件の表示】
　特願２００５−３１２７１３「小規模診断支援システム」拒絶査定不服審判事件〔平成１９年　５月１７日出願公開、特開２００７−１１７３５１〕について、次のとおり審決する。
【結　論】
　本件審判の請求は、成り立たない。
【理　由】
第１　手続の経緯 
　本願は、平成１７年１０月２７日を出願日とする出願であって、平成２３年３月４日付けで拒絶査定がなされ、これに対し、同年５月３１日に拒絶査定不服審判の請求がなされるとともに、同日付けにて手続補正（以下、「本件補正」という。）がなされたものである。
　さらに、同年７月８日付けで審尋がなされ、回答書が同年９月６日付けで請求人より提出されたものである。
　
第２　本件補正についての補正の却下の決定　 
［補正の却下の決定の結論］　 
　本件補正を却下する。　 
　　 
［理由］　 
１　補正後の本願発明　 
　本件補正により、補正前の特許請求の範囲の請求項１は、
「【請求項１】　画像生成装置及び制御装置を含み、画像生成装置で生成した画像データを制御装置に送信し、制御装置が当該画像データと患者情報とを対応付ける小規模診断支援システムであって、
　前記画像生成装置は、
　患者を撮影する撮影手段と、
　前記撮影により得られた撮影画像のデータを生成するデータ生成手段と、
　生成された前記撮影画像のデータを送信する送信手段と、を備え、
　前記制御装置は、
　前記患者に関する患者情報を入力するための第１入力手段と、
　前記画像生成装置により生成された撮影画像のデータを取得する第１制御手段と、
　前記取得された撮影画像を画像解析し、その解析結果に基づいて撮影部位を認識する認識手段と、
　前記取得された撮影画像に対し、前記認識された撮影部位に応じて予め定められている処理条件により画像処理を施す画像処理手段と、
　前記画像処理が施された処理画像を表示する表示手段と、
　前記処理画像と前記患者情報とを対応付ける第２制御手段と、
　を備えることを特徴とする小規模診断支援システム。」
から
「【請求項１】　画像生成装置及び制御装置を含み、画像生成装置で生成した画像データを制御装置に送信し、制御装置が当該画像データと患者情報とを対応付ける小規模診断支援システムであって、
　前記画像生成装置は、
　患者を撮影する撮影手段と、
　前記撮影により得られた撮影画像のデータを生成するデータ生成手段と、
　生成された前記撮影画像のデータを送信する送信手段と、を備え、
　前記制御装置は、
　前記患者に関する患者情報を入力するための第１入力手段と、
　前記画像生成装置により生成された撮影画像のデータを取得する第１制御手段と、
　前記取得された撮影画像を画像解析し、その解析結果に基づいて撮影部位を認識する認識手段と、
　前記取得された撮影画像に対し、前記認識された撮影部位に応じて予め定められている処理条件により画像処理を施す画像処理手段と、
　前記画像処理が施された処理画像を表示する表示手段と、
　前記処理画像と前記患者情報とを対応付ける第２制御手段と、
　
前記処理画像の画像処理条件の修正情報を入力するための第２入力手段と、
、
　前記画像処理手段は、前記入力された修正情報に基づいて変更した処理条件により前記取得された撮影画像に対して画像処理を施し、
　前記表示手段は、前記処理画像を、前記変更された処理条件により画像処理が施された修正画像に更新表示し、
　前記制御装置は、前記処理条件の修正が所定回数だけ行われた場合に、前記認識された撮影部位に応じて予め定められている処理条件を変更す
と補正された。（下線は補正箇所を示す。）　 
　
　本件補正は、請求項１に請求項２と請求項３とを組み込むとともに、文章を整えた補正を含むものである。
　したがって、本件補正は，平成１８年法律第５５号改正附則第３条第１項によりなお従前の例によるとされる同法による改正前（以下，「平成１８年法改正前」という。）の特許法第１７条の２第４項第２号の特許請求の範囲の減縮を目的とするものに該当する。
　そこで、本件補正後の前記請求項１に係る発明（以下「補正発明」という。）が、特許出願の際独立して特許を受けることができるものであるか（平成１８年法改正前の特許法第１７条の２第５項において準用する同法第１２６条第５項の規定に適合するか）について以下に検討する。
　
２　引用刊行物およびその記載事項（下線は当審で付与した。）
（１）本願出願前に頒布され、原査定の拒絶の理由に引用された刊行物である特開２００５−２９６０６４号公報（以下「刊行物１」という。）には、「密封容器の内圧検査方法およびその装置」について、図面とともに次の事項が記載されている。 
（１−ア）　「【０００１】  本発明は、患者を撮影して得られた放射線画像を用いて診断を行う放射線画像診断システムにおける制御装置及び表示画面を制御する表示制御プログラムに関する。」
　
（１−イ）　「【００３２】  そこで、本発明では、上記大病院と開業医の特質を比較考量した上で、上記多種類の画面の内、頻繁に遷移が行われる撮影部位選択画面と画像表示画面と画像処理条件調整画面とを１つの画面上にまとめて表示し、かつ、
各々の画面の構成やその関連を開業医のような小規模のユーザに最適化して設定することにより操作性の向上を図っている。
【００３３】  上記した本発明の一実施の形態について更に詳細に説明すべく、本発明の一実施例に係る制御装置及び表示画面生成プログラムについて、図１乃至図１０を参照して説明する。
図１は、本発明の制御装置（コントローラ）を含む放射線画像診断システムの構成を模式的に示す図であり、
図１０は、本実施例のコントローラーを用いた処理手順を示すフローチャート図である。
【００３５】  図１に示すように、本実施例の
放射線画像診断システム１は、患者を撮影する撮影装置４が設置される撮影室内に、撮影装置４によって潜像が形成されたカセッテ１７から放射線画像を読み取るリーダー２と、リーダー２の読み取りを制御すると共に、読み取った画像を表示したり、患者情報や撮影部位情報等を入力する制御装置（コントローラー３）とが設置され、リーダー２及びコントローラー３は、スイッチングＨＵＢ５を介して、必要に応じて設置されるプリンタ６ｃ、ビューアー６ｂ、患者受付端末６ａなどとＬＡＮ接続されている。
　
（１−ウ）　「【００３８】  また、
リーダー２の読み取り制御、患者情報や撮影部位情報等の入力及び画像データに基づく放射線画像の表示を行うコントローラー３は、設定した読み取り条件に基づいてリーダー２を制御する制御部１０と、リーダー２で読み取った画像に対して種々の画像処理（階調変換処理、周波数処理、トリミング、反転／回転、マスキング等）を施す演算処理部１１と、表示・操作部１２と、開業医などの小規模なユーザに適した画面を表示させる制御を行う表示制御部１３と、表示用の画像データや、各撮影部位の撮影条件パラメータ、各特定部位を最適に画像処理するための画像処理パラメータ、及び、レーザーイメージャーなどのプリンタへ出力する際の各出力フォーマット等を記憶する記憶部１４と、カセッテ１７のプレートＩＤを読み取る識別ラベル検出部１５とを備えている。
【００３９】  この表示制御部１３では、後述するように、１つの画面中に撮影部位を選択するための撮影部位選択欄と、撮影した画像を表示する画像表示欄と、表示された画像に対して行う画像処理の条件を調整する画像処理条件調整欄とが表示されるように制御を行い、撮影部位選択欄には、所定の領域毎に選択可能に分割された人体の模式図を示す第１の選択欄と、所定の領域に包含される部位を選択可能に表示する第２の選択欄とが表示されるように制御を行う。
【００４０】  また、上記記憶部１４に記憶される撮影条件パラメータは、各撮影部位に対応したパラメータセットであり、リーダー２で画像を読み取る際の読み取り条件（サンプリングピッチや読み取り感度等）や、読み取り後の画像の画像処理時に参照される画像処理パラメータの識別番号が、撮影部位毎に保持されている。
【００４１】  この画像処理パラメータは、ある特定部位を最適に画像処理するためのパラメータセットであり、階調変換処理の階調曲線を定義したルックアップ・テーブルや、周波数処理の強調度といった各画像処理のパラメータ値が特定部位毎に保持されている。また、出力フォーマットは、レーザーイメージャーなどのプリンタ６ｃへ出力する場合に、１枚のフィルム上にいくつの画像データを配置するか、各画像データをどのような向きで配置するかを定義したフォーマットであり、オペレータが表示・操作部１２で選択した出力フォーマットに１乃至複数の画像データがはめ込まれ、各画像データ及びフォーマット情報等の付帯情報がＤＩＣＯＭ対応プリンタ６ｃへ出力される。」
　
（１−エ）　「【００５１】  
次に、上記構成の放射線画像診断システム１を用いて、患者のＸ線画像を撮影してからレーザーイメージャーなどのプリンタ、もしくは、患者の受付を行うホスト端末に出力するまでの手順について、図６乃至図９の画面構成例及び図１０のフローチャート図を参照して説明する。
【００５２】  まず、コントローラー３の表示・操作部１２には、初期画面として、図示しない患者情報入力画面が表示されており、ステップＳ１０１で、被検体となる患者の情報を入力する。すると、ステップＳ１０２で、コントローラー３の表示・操作部１２には、例えば、図６に示すような撮影部位選択欄２２と画像表示欄２３と画像処理条件調整欄２４とを含む画像確認／出力画面２１が表示される。ここで、ネットワークに接続されている患者データベース、検査データベースから患者情報を受信する場合は、患者情報入力画面を表示せず、画像確認／出力画面２１を初期画面とすることもでき、この初期画面は、図示しない設定画面にて設定される。
・・・
【００６３】  ここで、従来のコントローラー３では、プレートから読み取られた画像は、部位を選択する画面とは別個の画面に表示されていたため、選択した部位と画像との対比が困難であり、部位選択画面と画像表示画面とをその都度遷移させなければならないため操作が煩雑であった。そこで、本実施例では画像確認／出力画面２１に撮影部位選択欄２２に加えて撮影して得られた画像が表示される画像表示欄２３を設け、部位と画像との対比を容易にしている。」
　
（１−オ）　「【００６６】  ここで、
画像表示欄２３に表示された画像がオペレータにとって所望の画像でない場合には、オペレータは、画像処理条件調整欄２４にて画像処理条件を微調整する（ステップＳ１０９）
【００６７】  このように
調整後の画像処理条件に従って画像処理された画像データが即座に画像表示欄２３に表示される
　
（１−カ）　「【００８６】・・・
【図面の簡単な説明】
【００８７】
【図１】本発明の一実施例に係るコントローラーを含む放射線画像診断システムの構成を模式的に示す図である。
・・・
【図６】本発明の一実施例に係る
コントローラーの表示部に表示される画面（画像確認／出力画面）
　
（１−キ）　図６には、画像処理が施された処理画像を含む画像が表示された画面が記載されている。
　
　上記（１−ア）〜（１−キ）の記載と図１〜１１を参照すると、上記刊行物１には、 次の発明が記載されていると認められる。
「患者を撮影する撮影装置４が設置される撮影室内に、撮影装置４によって潜像が形成されたカセッテ１７から放射線画像を読み取るリーダー２と、リーダー２の読み取りを制御すると共に、読み取った画像を表示したり、患者情報や撮影部位情報等を入力する制御装置（コントローラー３）とが設置され、リーダー２及びコントローラー３は、スイッチングＨＵＢ５を介して、必要に応じて設置されるプリンタ６ｃ、ビューアー６ｂ、患者受付端末６ａなどとＬＡＮ接続されている放射線画像診断システム１において、
リーダー２の読み取り制御、患者情報や撮影部位情報等の入力及び画像データに基づく放射線画像の表示を行うコントローラー３は、設定した読み取り条件に基づいてリーダー２を制御する制御部１０と、リーダー２で読み取った画像に対して種々の画像処理（階調変換処理、周波数処理、トリミング、反転／回転、マスキング等）を施す演算処理部１１と、表示・操作部１２と、開業医などの小規模なユーザに適した画面を表示させる制御を行う表示制御部１３と、表示用の画像データや、各撮影部位の撮影条件パラメータ、各特定部位を最適に画像処理するための画像処理パラメータ、及び、レーザーイメージャーなどのプリンタへ出力する際の各出力フォーマット等を記憶する記憶部１４と、
コントローラーの表示部に表示される画面（画像確認／出力画面２１）に画像表示欄２３と画像処理条件を微調整する画像処理条件調整欄２４と、
を備えており、
調整後の画像処理条件に従って画像処理された画像データが即座に画像表示欄２３に表示される放射線画像診断システム１。」（以下、「引用発明」という。）
　
（２）本願出願前に頒布された刊行物である特開２００１−７６１４１号公報（以下「刊行物２」という。）には、「画像認識方法および画像処理装置」について図面とともに次の事項が記載されている。 
（２−ア）　「【０００７】しかし、
診断に利用する放射線撮影では、撮影対象となる部位が頭部から四肢まで多岐に渡り、それぞれによって医師が注目する領域も異なるため、診断に最適な画像を得るための画像処理条件は、撮影部位毎に異なるものとなる。また、同様に、撮影方向によっても、処理条件は異なるものとなる。
【０００８】
そのため、従来これらの装置では、画像処理を行う前に、最適な処理条件を選択するため、被写体の撮影部位、方向等を入力する必要がある。しかし、一般に撮影される部位は１００種類以上にもなり、この中から毎回撮影を行うたびに上記入力作業を行う必要が生じる。このような入力作業は繁雑であり、放射線撮影を行う放射線技師の大きな負担となっていた
【０００９】そこで、撮影された画像を読み取って自動的に被写体の部位、方向を認識して、最適な処理条件を選択することが、技師の負担を軽くするために求められている。
【００１０】撮影された部位を自動的に判別する方法として、特開平１１−８５９５０号公報に記載のように画像の濃度分布から特徴量を調べ、その特徴量に基づいて判別するものがある。
　
（２−イ）　「【００１１】
【発明が解決しようとする課題】しかし、
放射線撮影では通常、人体への不要な被曝を避けるために、照射野絞りと呼ばれる放射線遮蔽物を用いて、放射線が照射される領域（照射野）を限定して撮影することが一般的である。また、照射野の絞り方は、撮影技師によって異なるため、同一患者、同一部位に対する撮影であっても、必ずしも同じ照射野形状になるとは限らない。【００１２】さらに、照射野内外では、大きく信号分布が変化するため、照射野の絞り方によって画像の濃度分布は大きく異なってしまう。このような結果、上記のように濃度分布による特徴量で判別を行うと照射野の絞り方によって特徴量が変わってしまい、撮影部位を正しく判別することは困難になる。
【００１３】また、放射線撮影を行う部位は多岐にわたり、同じ診断目的に対しても異なる撮影方法があるため、病院毎に撮影される部位もしくは撮影方向が異なってくる。また、病院毎に工夫された、独自の撮影方法も用いられる。
【００１４】従って、全ての撮影方法に対応した処理条件を予め準備しておくことは非常に困難である。もし、処理条件や部位の判別条件が記憶されていない、新規の撮影方法で撮影された画像が入力された場合、上記公知例では認識手段に設けられた学習機能によって対応できるようになっているが、正しい学習が行われるためには多くのサンプルが必要であり、即座に対応することができないという問題が生じる。
【００１５】本発明は以上のような課題に鑑みてなされたものであって、
自動的に最適な画像処理条件または画像処理手段を選択し、煩雑な操作無しに診断に最適な画像を自動的に得るべく、放射線画像に対して、撮影された被写体の部位および撮影方向を正しく認識することが可能な画像認識方法および画像処理装置
　
（３）本願出願前に頒布され、原査定の拒絶の理由に引用された刊行物である特開２００５−１１１２４９号公報（以下「刊行物３」という。）には、「画像処理方法および画像処理装置ならびに画像処理プログラム」について図面とともに次の事項が記載されている。　
（３−ア）　「【０１２１】  （２）制御：
  各種制御を行う制御手段８０では、まず取得された画像データから画像処理用の縮小画像、表示用の縮小画像を作成する。これは、後の処理を高速に行い、かつ演算に必要なハードウェアのリソースを減らすためである。
・・・
【０１２３】  次に、撮影部位または撮影方向等の情報をユーザインターフェースなどから取得する。これらの情報は、ユーザが撮影部位等を特定することで行う。例えば、図２に示すように、表示部とタッチパネルとを兼ね備えた当該画像処理装置のユーザインタフェース４０１で、図２（ａ）の『腹部』と表示されたボタン（ハッチング部分）を押すことや、図２（ｂ）で一度『胸部』というボタンを押した後、撮影方向を選択するポップアップ画面４０２から、『正面』というボタンを押すこと等により、各ボタンに対応付けられた画像処理条件と１対１に対応する被写体番号bnが取得される。
【０１２４】  次に、
画像処理条件設定手段２０により、画像処理条件が決定されると、制御手段８０は、当該画像処理条件設定手段２０から、当該画像処理条件に相当するパラメータを取得し、制御手段８０内に準備されたキャッシュメモリのような一時保持手段に保持する
【０１２５】  
また、制御手段８０は、表示用縮小画像に対して、当該画像処理条件を用いて画像処理を施す。そして、画像処理が施された表示用縮小画像は、制御手段８０から、画像処理条件調整手段４０へ送信される。
【０１２６】  その後、
画像処理条件調整手段４０においてパラメータに修正が加えられる度、
当該修正後の画像処理条件に相当するパラメータを適用して画像処理を実行する（図５Ｓ１
【０１２７】  画像処理条件の調整が終了し、画像処理条件調整手段４０より終了通知を受け取ると、制御手段８０は、その時点で保持している画像処理条件を用いて、原画像データに対する画像処理を施して出力する。また、制御手段８０は、保持しているパラメータ一式を、パラメータ調整量記憶許可判定手段９０を介して、パラメータ調整量記憶手段５０へ送信する。」
　
（３−イ）　「【０１５２】  （４）パラメータ記憶：
  パラメータ記憶を行うパラメータ記憶手段３０には、前記各被写体番号bn毎に、一組の画像処理条件を記憶する。ここで、各組の画像処理条件には、少なくとも以下のパラメータが含まれる。」
　
（３−ウ）　「０１６０】  ユーザは、画像表示手段４１上に表示された画像または修正手段４２上に表示された値を見ながら、自分の好みの画像が得られるよう、濃度やコントラスト、エッジ強調度などを変更する（図５Ｓ２）。
【０１６１】  ここで修正手段４２は図３に示すような表示部とタッチパネル等とから構成されたユーザインタフェースとして構成されている。
  ここで、ユーザは濃度変更ボタン４２１やコントラスト変更ボタン４２２を、押すことにより、画像の濃度やコントラストを変更することができる。」
　
（３−エ）　「【０１７２】  （６）パラメータ調整量記憶：
  
パラメータ調整量の記憶を行うパラメータ調整量記憶手段５０では、上記画像処理条件調整手段４０でユーザが加えたパラメータ調整量の総量を、放射線画像入力手段１０で得た画像データ毎に保存する（図５Ｓ５）。
【０１７３】  また、以上のパラメータ調整量の総量の保存と合わせて、前回パラメータ変更手段６０にてパラメータ変更が実行されてから、当該被写体番号bnに対応する画像処理が行われた回数num1も保存する。
・・・
【０１７５】
  さらに、パラメータの調整を許可するか、不許可とするかを判別するパラメータ修正許可判定フラグとして、doLearningが記憶される。
  
doLearningの初期値は‘０’であり、この場合、パラメータの調整が可能となる。
【０１７６】
  画像処理条件調整手段４０での調整が終了すると、制御手段８０より、被写体番号bn、
初期設定されているパラメータD１,D２,k,βj,typ及び画像処理条件調整後の当該パラメータD１',D２',k',βj',typ'が、パラメータ調整量記憶許可判定手段９０を介してパラメータ調整量記憶手段５０へ送られる。
  そしてパラメータ調整量記憶手段５０では、各パラメータの調整総量ΔD１,ΔD２,Δk,Δβ,Tが以下のように求められる。
  ・・・。
【０１７８】
・・・
  また、これらパラメータの調整量を求めるとともに、前回パラメータ変更手段６０が呼び出されてから、当該被写体番号bnに対応する
画像処理が行われた回数num1について、num1＝num1＋１、のように１増加させる（図５Ｓ７）
　
（３−オ）　「【０１８０】  ここで、あるパラメータセットについて、所
定回数の閾値をＴｈｄn1とした場合（
num1＞Ｔｈｄn1、
パラメータの調整が開始される
・・・
【０１８８】  なお、上述したパラメータの調整開始に関する閾値Ｔｈｄn１を、変更する手段を別途設けることが望ましい。例えば、本実施形態にかかる画像処理装置をメンテナンスするための特別のモードで上述した画像の調整を行う場合は、
Ｔｈｄn1＝１と設定すれば、１画像に対して画像処理条件の調整が行われる度に、画像処理パラメータの修正が行われる
　
３　対比・判断 
　補正発明と引用発明とを対比する。
　
ア　引用発明の「撮影装置４」、「リーダー２」は、それぞれ、補正発明の「撮影手段」、「データ生成手段」に相当することは明らかである。
　また、引用発明の「リーダー２」は「スイッチングＨＵＢ５を介して、必要に応じて設置されるプリンタ６ｃ、ビューアー６ｂ、患者受付端末６ａなどとＬＡＮ接続されている」のであるから、引用発明が「データを送信する送信手段」を備えていることは明らかである。
　そうすると、引用発明は、補正発明の「撮影手段」、「データ生成手段」、「データを送信する送信手段」に相当するものを全て備えているのであるから、補正発明の「画像生成装置」に相当するものを含んでいる。
　
イ　引用発明の「コントローラー３」は、「患者情報や撮影部位情報等を入力する」のであるから、補正発明の「第１入力手段」を備えることは明らかである。
　また、引用発明の「コントローラー３」は、「設定した読み取り条件に基づいてリーダー２を制御する制御部１０と、リーダー２で読み取った画像に対して種々の画像処理（階調変換処理、周波数処理、トリミング、反転／回転、マスキング等）を施す演算処理部１１と、表示・操作部１２と」を備えているのであるから、補正発明の「第１入力手段」と「第１制御手段」と「画像処理手段」と「表示手段」を備えることは明らかである。
　そして、画像処理後の画像は患者情報とともにコントローラーの表示部に表示される画面（画像確認／出力画面２１）に表示するのであるから、引用発明の「コントローラー３」は、補正発明の「第２制御手段」も備えることは明らかである。
　さらに、引用発明の「コントローラー３」は、「コントローラーの表示部に表示される画面（画像確認／出力画面２１）に」「画像処理条件を微調整する画像処理条件調整欄２４」を備えているのであるから、補正発明の「第２入力手段」も備えることは明らかである。
　
ウ　上記ア、イより引用発明の「放射線画像診断システム１」は、補正発明の「小規模診断支援システム」に相当する。
　
エ　引用発明の「撮影部位情報等の入力」「を行うコントローラー３は、」「リーダー２で読み取った画像に対して種々の画像処理（階調変換処理、周波数処理、トリミング、反転／回転、マスキング等）を施す演算処理部１１と、」「を備え」と、補正発明の、「前記制御装置は、」「前記取得された撮影画像を画像解析し、その解析結果に基づいて撮影部位を認識する認識手段と、
　前記取得された撮影画像に対し、前記認識された撮影部位に応じて予め定められている処理条件により画像処理を施す画像処理手段と、」「を備え」とは、「前記制御装置は、前記取得された撮影画像に対し、撮影部位に応じて予め定められている処理条件により画像処理を施す画像処理手段と、を備え」ている点で共通する。　
　
オ　引用発明は「調整後の画像処理条件に従って画像処理された画像データが即座に画像表示欄２３に表示される」のであるから、補正発明の「前記表示手段は、前記処理画像を、前記変更された処理条件により画像処理が施された修正画像に更新表示」する構成を備えることは明らかである。
　
　そうすると、両者は、　 
（一致点）  
　「画像生成装置及び制御装置を含み、画像生成装置で生成した画像データを制御装置に送信し、制御装置が当該画像データと患者情報とを対応付ける小規模診断支援システムであって、
　前記画像生成装置は、
　患者を撮影する撮影手段と、
　前記撮影により得られた撮影画像のデータを生成するデータ生成手段と、
　生成された前記撮影画像のデータを送信する送信手段と、を備え、
　前記制御装置は、
　前記患者に関する患者情報を入力するための第１入力手段と、
　前記画像生成装置により生成された撮影画像のデータを取得する第１制御手段と、
　前記取得された撮影画像に対し、前記認識された撮影部位に応じて予め定められている処理条件により画像処理を施す画像処理手段と、
　前記画像処理が施された処理画像を表示する表示手段と、
　前記処理画像と前記患者情報とを対応付ける第２制御手段と、
　前記処理画像の画像処理条件の修正情報を入力するための第２入力手段と、
を備え、
　前記画像処理手段は、前記入力された修正情報に基づいて変更した処理条件により前記取得された撮影画像に対して画像処理を施し、
　前記表示手段は、前記処理画像を、前記変更された処理条件により画像処理が施された修正画像に更新表示することを特徴とする小規模診断支援システム。」
である点で一致し、以下の点で相違するといえる。　
　
（相違点１）　
　撮影部位に応じて予め定められている処理条件により画像処理を施す画像処理手段に用いる撮影部位ついて、補正発明では、「撮影画像を画像解析し、その解析結果に基づいて撮影部位を認識する認識手段により認識されたもの」であるのに対して、引用発明では、「撮影部位情報として入力されたもの」である点。
　
（相違点２）　
　撮影部位に応じて予め定められている処理条件の変更について、補正発明では「制御装置は、前記処理条件の修正が所定回数だけ行われた場合に、前記認識された撮影部位に応じて変更する」のに対して、引用発明ではそのような構成は備えていない点。
　
（１）相違点１についての検討
　刊行物２の記載事項である上記（２−イ）には「
自動的に最適な画像処理条件または画像処理手段を選択し、煩雑な操作無しに診断に最適な画像を自動的に得るべく、放射線画像に対して、撮影された被写体の部位および撮影方向を正しく認識することが可能な画像認識方法および画像処理装置
　そして引用発明と刊行物２に記載の事項は放射線画像を撮影部位に応じて適切に画像処理するという同じ技術思想を有するものである。
　さらに、自動化は、一般的な課題であって、引用発明においても、認識手段により認識する撮像部位の認識を自動化する動機付けが十分にある。
　してみると、引用発明に刊行物２記載の上記技術的事項を適用して、相違点１に記載の補正発明の構成とすることは、当業者が容易に想到するものと認められる。
　
（２）相違点２についての検討
　刊行物３の記載事項である上記（３−エ）には「
パラメータ調整量の記憶を行うパラメータ調整量記憶手段５０では、上記画像処理条件調整手段４０でユーザが加えたパラメータ調整量の総量を、放射線画像入力手段１０で得た画像データ毎に保存する（図５Ｓ５）。【０１７３】  また、以上のパラメータ調整量の総量の保存と合わせて、前回パラメータ変更手段６０にてパラメータ変更が実行されてから、当該被写体番号bnに対応する画像処理が行われた回数num1も保存する。
所定回数の閾値をＴｈｄn1とした場合
num1＞Ｔｈｄn1、
パラメータの調整が開始される
Ｔｈｄn1＝１と設定すれば、１画像に対して画像処理条件の調整が行われる度に、画像処理パラメータの修正が行われる」
　そして引用発明と刊行物３に記載の事項は放射線画像を撮影部位に応じて適切に処理するために画像処理条件を調整するという同じ技術思想を有するものである。
　さらに、自動化は、一般的な課題であって、引用発明においても、処理条件の変更を自動化する動機付けが十分にある。
　したがって、引用発明に、刊行物３に記載された上記技術的事項を付加して、相違点２における補正発明の構成とすることは、当業者が容易に想到するものと認められる。
　
（３）そして、補正発明の作用効果は、引用発明、刊行物２、３に記載の事項から当業者が予測し得る範囲内のものにすぎない。
　
（４）したがって、補正発明は、引用発明、刊行物２、３に記載の技術的事項に基づいて当業者が容易に発明をすることができたものであるというべきであり、特許法第２９条第２項の規定により、特許出願の際独立して特許を受けることができないものである。
　　 
４　まとめ　 
　以上のとおりであるから、本件補正は、平成１８年法改正前の特許法第１７条の２第５項において準用する同法第１２６条第５項の規定に違反するので、同法第１５９条第１項の規定において読み替えて準用する同法第５３条第１項の規定により、却下すべきものである。　
　
第３　本願発明について　 
１　本願発明　 
　本件補正は、上記のとおり却下されることとなるので、本願の請求項１〜３に係る発明は、平成２３年２月７日付け手続補正書により補正された明細書の特許請求の範囲の請求項１〜３に記載された事項により特定されたものであって、その請求項１に係る発明は、次のとおりであると認める。　 
「【請求項１】　画像生成装置及び制御装置を含み、画像生成装置で生成した画像データを制御装置に送信し、制御装置が当該画像データと患者情報とを対応付ける小規模診断支援システムであって、
　前記画像生成装置は、
　患者を撮影する撮影手段と、
　前記撮影により得られた撮影画像のデータを生成するデータ生成手段と、
　生成された前記撮影画像のデータを送信する送信手段と、を備え、
　前記制御装置は、
　前記患者に関する患者情報を入力するための第１入力手段と、
　前記画像生成装置により生成された撮影画像のデータを取得する第１制御手段と、
　前記取得された撮影画像を画像解析し、その解析結果に基づいて撮影部位を認識する認識手段と、
　前記取得された撮影画像に対し、前記認識された撮影部位に応じて予め定められている処理条件により画像処理を施す画像処理手段と、
　前記画像処理が施された処理画像を表示する表示手段と、
　前記処理画像と前記患者情報とを対応付ける第２制御手段と、
　を備えることを特徴とする小規模診断支援システム。」（以下、「本願発明」という。）
　
２　引用刊行物およびその記載事項　 
　本願出願前に頒布された刊行物１〜３およびその記載事項は、上記「第２　２」に記載したとおりである。　 
　　 
３　当審の判断　 
　本願発明は、補正発明を、請求項１〜３に分解して再構成したものの請求項１に相当する。
　
　そうすると、本願発明の構成要件を全て含む補正発明が、上記「第２　３」において検討したとおり、引用発明、刊行物２、３に記載の技術的事項に基づいて、当業者が容易に発明をすることができたものであるから、本願発明も、同様の理由により、引用発明、刊行物２、３に記載の技術的事項に基づいて当業者が容易に発明をすることができたものであるというべきである。
　
第４　まとめ　 
　以上のとおり、本願発明は、特許法第２９条第２項の規定により特許を受けることができないから、その他の請求項について言及するまでもなく、本願出願は拒絶されるべきものである。　 
　よって、結論のとおり審決する。